(57)【特許請求の範囲】
【請求項１】
レーザ管９がジンバル機構１１を介し三脚３による静止の状態で据付けた筒状本器１内における垂直姿勢をとる間に、レーザ管９の光軸９Ｂに沿うレーザ光を測量に利用するレーザ発光器にして、
レーザ光をわずか上向き斜めに反射するミラー１５をレーザ管９の光軸９Ｂ上に配置し、該反射光路１６に面するレーザ管９の周壁に開口１７を設けて該開口１７にはロットレンズ１８を配置し、筒状本器１の胴壁にあけた竪長窓孔８を通して上記の反射光路１６を含む鉛直面と直交する面上に、交線３５の投光マーキングを行うこと
を特徴とするレーザ墨出し器。
【請求項２】
筒状本器１が三脚３の各支持点の直上で水平に拡がったプレート６を有し、プレート６の縁辺の床面に対する先行的接触により筒状本器１の転倒を予防する請求項１に記載したレーザ墨出し器。
【請求項３】
レーザ管９の垂下端２１にてこれを同心に取囲むリング状のクランプ２４を、筒状本器１のベース部２内における摺動を可能として配備し、このクランプ２４にその内周の一部を切欠いた溝２５を設ける一方この溝２５内に収まってレーザ管９の垂下端２１と向かい合うストッパ２６をベース部２に設けてなる、請求項１又は２に記載したレーザ墨出し器。
【発明の詳細な説明】
【０００１】
【発明の属する技術分野】
建築、建設ときには土木の如き施設施工現場にて、床面のような水平面内の或る地点における鉛直軸を含む平面の施設における壁面、天井面及び床面にわたる交線を現示して簡便なマーキングを容易に行うことができるレーザ墨出し器を提案しようとするものである。
【０００２】
【従来の技術】
ジンバル機構により垂直姿勢をとるレーザ管内の光軸上にハーフミラを４５°の傾斜で取付けることにより、ハーフミラにより光軸に対し直角に反射される光路上にロットレンズを配置する一方、ハーフミラを透過した上向き光路にももう一つのロットレンズを配置して、壁面、天井面及び床面にてライン状をなすレーザ光を投射することは既知であるが二組のロットレンズを必要とする。
【０００３】
そこでやはりジンバル機構で、レーザ管の光軸を鉛直面内にて水平面に対しわずか上向きに傾斜する吊下げ姿勢に保持する芯軸を用いて単一のロットレンズにて所用を弁ずる改良が試みられたが、上記吊下げ姿勢でレーザ管を囲う筒状本器の胴径が太くなる不利に加え鉛直バランスが崩れ易い。
【０００４】
【発明が解決しようとする課題】
施設施工現場の床面に設置するだけでその床面内の鉛直軸を含む平面の施設における壁面に加えて天井面および床面自体にわたる交線を単一のロットレンズによって投射現示して簡便なマーキングを容易に行えるレーザ墨出し器を与えることがこの発明の目的である。
【０００５】
【課題を解決するための手段】
この発明は、レーザ管９がジンバル機構１１を介し三脚３による静止の状態で据付けた筒状本器１内における垂直姿勢をとる間に、レーザ管９の光軸９Ｂに沿うレーザ光を測量に利用するレーザ発光器にして、レーザ光をわずか上向き斜めに反射するミラー１５をレーザ管９の光軸９Ｂ上に配置し、該反射光路１６に面するレーザ管９の周壁に開口１７を設けて該開口１７にはロットレンズ１８を配置し、筒状本器１の胴壁にあけた竪長窓孔８を通して上記の反射光路１６を含む鉛直面と直交する面上に、交線３５の投光マーキングを行うことを特徴とするレーザ墨出し器であり、また筒状本器１が三脚３の各支持点の直上で水平に拡がったプレート６を有し、プレート６の縁辺の床面に対する先行的接触により筒状本器１の転倒を予防すること、さらにレーザ管９の垂下端２１にてこれを同心に取囲むリング状のクランプ２４を、筒状本器１のベース部２内における摺動を可能として配備し、このクランプ２４にその内周の一部を切欠いた溝２５を設ける一方この溝２５内に収まってレーザ管９の垂下端２１と向かい合うストッパ２６をベース部２に設けてなる、ことがより好ましい。
【０００６】
【発明の実施の形態】
図１にこの発明によるレーザ墨出し器の外観を示し、図２にて正面、図３にて底面を図示したように、筒状本器１をそのベース部２に設けた三脚３により施設施工現場の床面のような水平面上に据付ける。
三脚３は昇降調節ねじつまみ４を有し、これによって床面の不陸にも適切な対応が可能であり、また三脚３の石突５にこの例で方形をなすプレート６を設けそのまわりの縁にゴムカバー７を設ける。
プレート６は筒状本器１が傾いたときに、プレート６の縁が設置面に当たって、転倒防止に役立つ。
【０００７】
筒状本器１は胴壁に竪長窓孔８を有し、胴壁内部には竪長窓孔８にのぞむレーザ管９を配置する。筒状本器１の頂部に開閉蓋１０を設けてレーザ管９からの垂直放射スポットの焦点調節を可能とすることがのぞましい。
レーザ管９は図４に示すようにジンバル機構１１により、レーザ管９の光軸９Ｂがたえず垂直に向くようにして筒状本器１の胴壁内に吊下げ支持する。
【０００８】
ジンバル機構１１はレーザ管９の直径方向の一直線上に位置する一対のピン軸１２の内端をベアリングで軸支してピン軸１２の外端は内環１３にねじ止めする一方、この内環１３にピン軸１２と直交する向きにて図にあらわれないもう一対のピン軸の内端をベアリングで軸支し外端を外環１４にねじ止めするような吊下げ支持が可能である。
【０００９】
レーザ管９はその光軸９Ｂ上に、レーザ光の一部をわずか上向き斜め（水平面に対してほぼ２３°）に反射するハーフミラ１５を配置し、この反射光路１６に面するレーザ管９の周壁に開口１７を設け、該開口には、ロットレンズ１８を取付座１９により配置して筒状本器１の胴壁にあけた竪長窓孔８を通し、反射光路１６を含む鉛直面内に拡がる面放射２０を行うものとする。
【００１０】
レーザ管９はその垂下端２１に傾斜限界で電源をしゃ断するように配線するを可とする鍔状接点２２のほか該限界における緩衝を司るクッション環２３を有する。
クッション環２３に対して図５（ａ）、図６（ａ）に示すようにクランプ２４を筒状本器１のベース部２内にて、外部操作による摺動可能に配備し、このクランプ２４は図５  （ｂ），  （ｃ），  （ｄ）  のようにクッション環２３を同心に取囲んでリング状をなし、このリング状のクランプ２４の内周の一部を切欠いた溝２５を設け、この溝２５内に収まってクッション環２３と向かい合うストッパ２６をベース部２に設ける。
【００１１】
クランプ２４はベース部２のすべり座２７上にて摺動を可能に保持し、図５に示した非作動位置から図６に示した作動位置に移したときその状態を係止するクリック止め２８，２９を有する。
なお図５ｃと図６ｃではクランプ２４の摺動をピン３０のまわりの回動とした例、図５ｄと図６ｄには上記作動位置へ向かって附勢するばね３１を設けた例を示す。
【００１２】
【実施例】
この発明に従い図４のように水平面に対し約２３°で浅く上向きの反射光路１６からロットレンズ１８をもって鉛直面２０内に拡がるレーザ投射を行って、壁面３２の上下にわたる天井面３２及び床面３４との交線３５に一連りの投光マーキングを行うことができ、図８に示した、２組のロットレンズ１８ｂ，１８ｖをハーフミラ１５ｍに組合わせて壁面３２と床面３４との交線３６と天井面３３との交線３７とを得るのにほぼ匹敵する機能が筒状本器の増径を全く必要とせずに実現された。
【００１３】
【発明の効果】
この発明によればレーザ管を鉛直に吊下げ支持し、単一のロットレンズを用いるだけで施設施工現場における側壁から天井面及び床面にわたり鉛直のレーザ投光マーキングが簡便に可能となる。
【図面の簡単な説明】
【図１】レーザ墨出し器の外観図。
【図２】正面図である。
【図３】底面図である。
【図４】レーザ管の断面図である。
【図５】（ａ），  （ｂ）  はクランプの非作動及び作動位置における要部の説明図であり、
（ｃ），  （ｄ）  は変形例の説明図。
【図６】（ａ），  （ｂ）  はクランプの非作動及び作動位置における要部の説明図であり、
（ｃ），  （ｄ）  は変形例の説明図である。
【図７】マーキング結果の説明図である。
【図８】従来のマーキングの比較図である。
【符号の説明】
１    円筒本器
２    ベース部
３    三脚
６    プレート
８    竪長窓孔
９    レーザ管
９Ｂ  光軸
１１  ジンバル機構
１５  ハーフミラ
１６  反射光路
１７  開口
１８  ロットレンズ
２３  垂下端
【図１】
0003581206.tif 000002
【図２】
0003581206.tif 000003
【図３】
0003581206.tif 000004
【図４】
0003581206.tif 000005
【図５】
0003581206.tif 000006
【図６】
0003581206.tif 000007
【図７】
0003581206.tif 000008
【図８】
0003581206.tif 000009